(57)【要約】【課題】簡易かつコンパクトな構成で、炭酸ガスの吸収効率を向上させることができる炭酸飲料製造装置を提供すること。【解決手段】サーチュレータタンク１２の内部に、処理液を薄膜状にしてタンク壁面に向けて放射方向に放出する回転ディッシュ１４を配置し、この回転ディッシュ１４によって薄膜状にされた処理液に炭酸ガスを吸収させるようにする。【選択図】図１
2015147184.tif 000002
【特許請求の範囲】
【請求項１】
内部に炭酸ガスを所定圧力に充填、保持するようにしたサーチュレータタンクに処理液を供給することによってカーボネーションを行うようにした炭酸飲料製造装置において、前記サーチュレータタンクの内部に、処理液を薄膜状にしてタンク壁面に向けて放射方向に放出する回転ディッシュを配置し、該回転ディッシュによって薄膜状にされた処理液に炭酸ガスを吸収させるようにしたことを特徴とする炭酸飲料製造装置。
【請求項２】
前記回転ディッシュが、サーチュレータタンクの内部上方に配設した平板形状の上部回転ディッシュと、内部下方に配設した上方を開放したボウル形状の下部回転ディッシュとからなり、上部回転ディッシュの外周部に有孔板からなる円筒形状の固定流下筒を配設し、上部回転ディッシュにより薄膜状にした処理液を、固定流下筒を介して、下部回転ディッシュに導入し、下部回転ディッシュによりさらに薄膜状にしてタンク壁面に向けて放射方向に放出するようにしたことを特徴とする請求項１記載の炭酸飲料製造装置。
【発明の詳細な説明】
【技術分野】
【０００１】
本発明は、炭酸飲料を製造する炭酸飲料製造装置に関し、特に、冷却された処理液が流れる配管に炭酸ガスを吹き込むことでカーボネーション（炭酸ガス溶解）を行うようにした炭酸飲料製造装置に関するものである。
【背景技術】
【０００２】
従来、一般的な炭酸飲料製造装置は、脱気タンクで処理液中の空気を脱気し、脱気された処理液をプロポーショナに送ってシロップと一定比率に連続混合し、連続混合された処理液に対して必要に応じてプリカーボネータで炭酸ガスを注入した後にプレート式熱交換器で冷却し、冷却された処理液を炭酸ガスが満たされたサーチュレータタンクに送って炭酸ガスを吸収処理するようにしている（非特許文献１参照）。
【０００３】
従来の炭酸飲料製造装置で用いられるサーチュレータタンクについて、図２を用いて以下に説明する。
【０００４】
図２（ａ）に示されるように、前工程として、真空ポンプ２によって高い真空度に保持された脱気タンク３内に処理液が供給され、ジェットノズル４によってジェット流とされて脱気タンク３内の液面に激しく叩き付けられ、液中に気泡を生じさせて処理液中の空気を脱気する。
脱気された処理液は、水ポンプ５にてプロポーショナ６へと送液されるとともに、その一部がリサイクル弁７を通って再びジェットノズル４に流入する。
プロポーショナ６に送られた処理液は、このプロポーショナ６でシロップと一定比率に連続混合される。
連続混合された処理液は、配管切換盤８を経由してプリカーボネータ９へと送られ、このプリカーボネータ９で必要に応じて炭酸ガスが注入された後に、プレート式熱交換器１００へと送られる。
プレート式熱交換器１００に送られた処理液は、冷水又はブラインによって冷却され、冷却された処理液は、配管を介して下流側のサーチュレータタンク１０１へと送られる。
このようにして、プレート式熱交換器１００で冷却された処理液が送り込まれるサーチュレータタンク１０１は、タンク本体１０２と蓋部１０３の２分割された構造体からなり、タンク本体１０２の内部には、カーボネーションプレート１０４が配設されている。
そして、サーチュレータタンク１０１内に送り込まれた処理液は、スプレーノズル１０５を介してカーボネーションプレート１０４上に散布され、自然流下しながら炭酸ガスを吸収する。
【０００５】
ところが、図２（ａ）に示されるサーチュレータタンク１０１を用いた装置では、以下のような問題があった。
（１）カーボネーションプレート１０４を有しているため、タンク内が複雑な構造となり、ＣＩＰ洗浄性が劣る。
（２）カーボネーションプレート１０４それ自体の経年劣化（ピンホール等）による交換作業等が必要となり、メンテナンスの手間が増える。
（３）カーボネーションプレート１０４の表面を自然流下する処理液の流下状態が不均一になりやすく、炭酸ガスの吸収効率の低下やばらつきが生じる。
【０００６】
そこで、上記の問題を解決し得るものが、例えば、特許文献１にて提案されている。
【先行技術文献】
【特許文献】
【０００７】
【特許文献１】特開平２−３０７５１７号公報
【非特許文献】
【０００８】
【非特許文献１】新版・ソフトドリンクス編集委員会編纂、「新版ソフト・ドリンクス」、株式会社光琳出版、ｐ．５０９−５１４
【０００９】
図２（ｂ）に示されるように、特許文献１にて提案されている装置において、サーチュレータタンク（カーボネータタンク）１１１は、内部に炭酸ガスを所定圧力に保持するとともに、内部上方に配置した配水ノズル１１２を介して、処理液をタンク内上部からタンク壁面に達するように配水することによって、処理液がタンク壁面を自然流下する際に処理液に炭酸ガスを吸収させるようにしている。
このサーチュレータタンク１１１を採用することにより、カーボネーションプレート１０４を省略することができるので、ＣＩＰ洗浄性に優れるとともに、メンテナンスの手間を減らすことができる。
【００１０】
しかしながら、上記のサーチュレータタンク１１１を用いた炭酸飲料製造装置では、処理液への炭酸ガスの吸収が、専ら、処理液がタンク壁面を自然流下する際に行われるため、処理液の流下状態が不均一になりやすく、炭酸ガスの吸収効率の低下やばらつきが生じるため、炭酸ガスの吸収効率を向上、一定化するためには、サーチュレータタンク１１１において炭酸ガスと処理液とを接触させる表面積、すなわち、タンク壁面の面積を大きくする必要があり、サーチュレータタンク１１１の容積（設置面積・全高）が大きなものとならざるを得ないという問題があった。
【発明の概要】
【発明が解決しようとする課題】
【００１１】
本発明は、上記従来の炭酸飲料製造装置の有する問題点に鑑み、簡易かつコンパクトな構成で、炭酸ガスの吸収効率を向上させることができる炭酸飲料製造装置を提供することを目的とする。
【課題を解決するための手段】
【００１２】
上記目的を達成するため、本発明の炭酸飲料製造装置は、内部に炭酸ガスを所定圧力に充填、保持するようにしたサーチュレータタンクに処理液を供給することによってカーボネーションを行うようにした炭酸飲料製造装置において、前記サーチュレータタンクの内部に、処理液を薄膜状にしてタンク壁面に向けて放射方向に放出する回転ディッシュを配置し、該回転ディッシュによって薄膜状にされた処理液に炭酸ガスを吸収させるようにしたことを特徴とする。
【００１３】
この場合において、前記回転ディッシュが、サーチュレータタンクの内部上方に配設した平板形状の上部回転ディッシュと、内部下方に配設した上方を開放したボウル形状の下部回転ディッシュとからなり、上部回転ディッシュの外周部に有孔板からなる円筒形状の固定流下筒を配設し、上部回転ディッシュにより薄膜状にした処理液を、固定流下筒を介して、下部回転ディッシュに導入し、下部回転ディッシュによりさらに薄膜状にしてタンク壁面に向けて放射方向に放出するようにすることができる。
【発明の効果】
【００１４】
本発明の炭酸飲料製造装置によれば、サーチュレータタンクの内部に、処理液を薄膜状にしてタンク壁面に向けて放射方向に放出する回転ディッシュを配置し、該回転ディッシュによって薄膜状にされた処理液に炭酸ガスを吸収させるようにすることにより、回転ディッシュ上を流動する際の処理液の流動状態及びタンク壁面を自然流下する際の処理液の流下状態を均一にすることができ、処理液への炭酸ガスの吸収効率を向上するとともに、そのばらつきを低減することができる。
これにより、処理液への炭酸ガスの吸収効率を向上、一定化させるために、サーチュレータタンクのタンク壁面の面積を大きくする必要がなくなり、サーチュレータタンクの構成の簡素化及び小型化を図ることができる。
さらに、目詰まりを起こす箇所がなく、回転ディッシュの回転動作と相俟って、ＣＩＰ洗浄性に優れるとともに、メンテナンスの手間を減らすことができ、高粘度の処理液や固形分を含有する果汁等の処理液のカーボネーションを行うことができる。
【００１５】
また、回転ディッシュが、サーチュレータタンクの内部上方に配設した平板形状の上部回転ディッシュと、内部下方に配設した上方を開放したボウル形状の下部回転ディッシュとからなり、上部回転ディッシュの外周部に有孔板からなる円筒形状の固定流下筒を配設し、上部回転ディッシュにより薄膜状にした処理液を、固定流下筒を介して、下部回転ディッシュに導入し、下部回転ディッシュによりさらに薄膜状にしてタンク壁面に向けて放射方向に放出するようにすることにより、薄膜状にした処理液の流動距離を長く取ることができ、処理液への炭酸ガスの吸収効率を一層向上するとともに、そのばらつきを低減することができる。
【図面の簡単な説明】
【００１６】
【図１】本発明の一実施形態に係る炭酸飲料製造装置のフロー図を示し、（ａ）は単一の回転ディッシュを用いた炭酸飲料製造装置、（ｂ）は２重構造の回転ディッシュを用いた炭酸飲料製造装置である。
【図２】従来の炭酸飲料製造装置のフロー図を示し、（ａ）はカーボネーションプレート薄膜流下式の炭酸飲料製造装置、（ｂ）はタンク内壁面薄膜流下式の炭酸飲料製造装置である。
【発明を実施するための形態】
【００１７】
次に、本発明の炭酸飲料製造装置の実施の形態を、図面に基づいて説明する。
【００１８】
＜炭酸飲料製造装置の概略説明＞
図１（ａ）に示される炭酸飲料製造装置１において、前工程として、真空ポンプ２によって高い真空度に保持された脱気タンク３内に処理液が供給され、ジェットノズル４によってジェット流とされて脱気タンク３内の液面に激しく叩き付けられ、液中に気泡を生じさせて処理液中の空気を脱気する。
脱気された処理液は、水ポンプ５にてプロポーショナ６へと送液されるとともに、その一部がリサイクル弁７を通って再びジェットノズル４に流入する。
プロポーショナ６に送られた処理液は、このプロポーショナ６でシロップと一定比率に連続混合される。
連続混合された処理液は、配管切換盤８を経由してプリカーボネータ９へと送られ、このプリカーボネータ９で必要に応じて炭酸ガスが注入された後に、プレート式熱交換器１０へと送られる。
なお、この前工程は、適宜構成を変更することができる。
そして、プレート式熱交換器１０に送られた処理液は、冷水又はブラインによって冷却され、冷却された処理液は、配管１１を介して下流側のサーチュレータタンク１２へと送られる。
【００１９】
＜サーチュレータタンクの説明（１）＞
プレート式熱交換器１０で冷却された処理液が送り込まれるサーチュレータタンク１２は、炭酸ガス供給機構１３によって内部に炭酸ガスを所定圧力に保持するようにするとともに、内部上方に処理液を薄膜状にしてタンク壁面に向けて放射方向に放出する回転ディッシュ１４を配置し、この回転ディッシュ１４によって薄膜状にされた処理液に炭酸ガスを吸収させるようにする。
回転ディッシュ１４は、モータ１４Ｍによって高速回転（具体的には、１００〜２０００ｒｐｍ（本実施形態においては、回転ディッシュ１４上を流動する処理液が均一な薄膜状を呈する２００ｒｐｍ））することによって処理液を薄膜状にしてタンク壁面に向けて放射方向に放出する平板形状をしたもので、これにより、処理液が回転ディッシュ１４上を薄膜状に流動する間及び当該処理液がタンク壁面を当たってタンク壁面を自然流下する間に炭酸ガスを吸収させるようにする。
これにより、回転ディッシュ１４上を流動する際の処理液の流動状態及びタンク壁面を自然流下する際の処理液の流下状態を均一にすることができ、処理液への炭酸ガスの吸収効率を向上するとともに、そのばらつきを低減することができる。
このようにして、サーチュレータタンク１２においてカーボネーションを行った処理液は、払出ポンプ１６を介して図示されない瓶（ペットボトルを含む。）詰機、缶詰機等の充填機へと送られる。
【００２０】
＜サーチュレータタンクの説明（２）＞
ところで、本実施形態においては、サーチュレータタンク１２に配置する処理液を放出する回転ディッシュ１４として、単一の平板形状をしたものを用いるようにしたが、これに代えて、図１（ｂ）の変形実施形態に示すように、サーチュレータタンク１２の内部上方に配設した外周縁に立ち上がり部を形成した（又は立ち上がり部を形成しない）平板形状の上部回転ディッシュ１４ａと、内部下方に配設した上方を開放したボウル形状の下部回転ディッシュ１４ｂとからなる２重構造のものを用い、さらに、上部回転ディッシュ１４ａの外周部にパンチングメタルやエキスパンドメタル等の有孔板からなる円筒形状の固定流下筒１７を配設するようにすることができる。
回転ディッシュ１４（上部回転ディッシュ１４ａ及び下部回転ディッシュ１４ｂ）は、モータ１４Ｍによって高速回転（具体的には、１００〜２０００ｒｐｍ（本実施形態においては、上部回転ディッシュ１４ａ上及び下部回転ディッシュ１４ｂ上を流動する処理液が均一な薄膜状を呈する１２００ｒｐｍ））することによって、上部回転ディッシュ１４ａにより薄膜状にした処理液を、固定流下筒１７を介して、下部回転ディッシュ１４ｂに導入し、下部回転ディッシュ１４ｂによりさらに薄膜状にしてタンク壁面に向けて放射方向に放出するようにすることにより、薄膜状にした処理液の流動距離を長く取ることができ、処理液への炭酸ガスの吸収効率を一層向上するとともに、そのばらつきを低減することができる。
このようにして、サーチュレータタンク１２においてカーボネーションを行った処理液は、払出ポンプ１６を介して図示されない瓶（ペットボトルを含む。）詰機、缶詰機等の充填機へと送られる。
【００２１】
＜洗浄部材の説明＞
この場合、処理液を回転ディッシュ１４又は上部回転ディッシュ１４ａに供給する配管１１には、この配管１１を分岐して構成した洗浄部材１５を設けるようにし、配管１１から処理液に代えて洗浄液を、別途設けた洗浄液供給機構（図示省略）から供給することにより、サーチュレータタンク１２の内部を洗浄できるようにしている。
【００２２】
＜作用効果の説明＞
本実施形態の炭酸飲料製造装置１においては、回転ディッシュ１４上を流動する際の処理液の流動状態及びタンク壁面（及び固定流下筒１７（変形実施形態の場合））を自然流下する際の処理液の流下状態を均一にすることができ、処理液への炭酸ガスの吸収効率を向上するとともに、そのばらつきを低減することができる。
これにより、処理液への炭酸ガスの吸収効率を向上させるために、サーチュレータタンク１２のタンク壁面の面積を大きくする必要がなくなり、サーチュレータタンク１２の構成の簡素化及び小型化を図ることができる。
さらに、目詰まりを起こす箇所がなく、回転ディッシュの回転動作と相俟って、ＣＩＰ洗浄性に優れるとともに、メンテナンスの手間を減らすことができ、高粘度、例えば、２００００ｍＰａ・ｓ程度までの処理液や固形分を含有する果汁（例えば、さのうを含有する柑橘系の果汁）等の処理液のカーボネーションを行うことができる。
【００２３】
以上、本発明の炭酸飲料製造装置について、複数の実施形態に基づいて説明したが、本発明は上記実施形態に記載した構成に限定されるものではなく、その趣旨を逸脱しない範囲において適宜その構成を変更することができるものである。
【産業上の利用可能性】
【００２４】
本発明の炭酸飲料製造装置は、簡易かつコンパクトな構成で、炭酸ガスの吸収効率を向上させることができるという特性を有していることから、限られた設置スペースでの炭酸飲料の製造の用途に好適に用いることができ、特に、高粘度の処理液や固形分を含有する処理液のカーボネーションの用途にも用いることができる。
【符号の説明】
【００２５】
１  炭酸飲料製造装置
３  脱気タンク
６  プロポーショナ
９  プリカーボネータ
１０  プレート式熱交換器
１２  サーチュレータタンク
１３  炭酸ガス供給機構
１４  回転ディッシュ
１４ａ  上部回転ディッシュ
１４ｂ  下部回転ディッシュ
１７  固定流下筒
【図１】
2015147184.tif 000003
【図２】
2015147184.tif 000004
【手続補正書】
【提出日】平成26年2月10日(2014.2.10)
【手続補正１】
【補正対象書類名】図面
【補正対象項目名】図１
【補正方法】変更
【補正の内容】
【図１】
2015147184.tif 000005